(57)【特許請求の範囲】
【請求項１】
前面部に遊技領域を形成する遊技盤と、
該遊技盤の前面部において前方に突出する状態に配設され、左上部に前記遊技領域内に遊技球を放出するための領域入口部を開口しつつ前記遊技領域の略円形状の外縁部を構成する領域レール部を備えるとともに、該領域レール部の左側方に、前記遊技領域の外縁部に沿って、前記領域レール部の最下部方向から略円弧状に上昇して前記領域入口に至る誘導通路を形成するレール部材と、
外枠と、
該外枠に対して開閉可能に軸支され、前面部に前記遊技盤を保持するとともに、前面部のうちで前記遊技盤が保持される部位よりも下方の部位に、発射装置から発射された遊技球を前記誘導通路に向かって誘導する発射レールが、左上がり傾斜状に配置される中枠と、
前記中枠の左端に開閉可能に支持されつつ前記遊技盤の前面部の前方に配置され、前記領域レール部の突端部との間に隙間部を形成するガラス扉枠と、
を備える遊技機において、前記領域レール部の下半側部分から選択されるとともに前記領域レール部の最下部を中間部に配置し、左右両側に高くなる円弧状に構成される不正対策部位の外周部に当接する状態に配置されて、前記遊技領域外の不正部材を、前記隙間部を通じて前記遊技領域に侵入させる不正行為を防止するための侵入防止部材であって、
前記不正部材の上方への侵入を防止するための防護壁体を構成する主壁体部と、該主壁体部から延設される副壁体部と、を備え、
前記主壁体部は、
前記不正対策部位の外周部に沿った円弧状の経路を描く湾曲板形状に構成されつつ上面部を前記不正対策部位の外周部に当接させ、後端部を前記遊技盤の前面部に当接させた状態で配置される湾曲壁部を具備する後方壁体部と、
略水平に配置される長尺状の略板状体を用いて構成され、長手方向を左右方向に向け、後端部のうちの左右方向に沿った中間部を、前記湾曲壁部の前端部のうちの左右方向に沿った中間部に一体化するとともに、前記不正対策部位の左右方向幅以上で前記遊技盤の左右方向幅以下の左右方向幅を有しつつ前端部を前記ガラス扉枠に到達させた状態で配置される板状部と、
前記板状部の下面部から肉厚方向を前後に向けた状態で垂下するリブと、を備え、
前記副壁体部として、
表裏面を左右に向けた略板状に構成されつつ前記湾曲壁部の右端部から垂下して、表裏一方の面によって前記遊技機の左右のうちの一方の側方外部を向いた防護壁面部を構成し、表裏他方の面によって前記遊技機の左右のうちの他方の側方外部を向いた防護壁面部を構成する第１の副壁体部と、
前記リブにおいて前記不正対策部位の左端部の直下若しくは前記不正対策部位の左端部の直下の部位よりも更に左側であって、前記誘導通路が描く略円弧状の経路の曲率半径の方向に沿って前記誘導通路よりも外側の部位から後方に突出する状態に設けられるとともに、表裏面を左右に向けた略板状に構成されつつ表裏一方の面によって前記遊技機の左右のうちの一方の側方外部を向いた防護壁面部を構成し、表裏他方の面によって前記遊技機の左右のうちの他方の側方外部を向いた防護壁面部を構成する板状体部と、該板状体部の上端部に左端部を一体化させつつ表裏面を上下に向けて配置される板状体部と、で構成される第２の副壁体部と、
のうちの少なくとも一方を備えることを特徴とする侵入防止部材。
【請求項２】
前記副壁体部として前記第２の副壁体部を備え、
前記遊技機において前記ガラス扉枠の下方の位置には、遊技球を貯留するための上受皿部を備える受皿扉部材が装着され、前記遊技機において該受皿扉部材の下方の位置には下皿部が突出状に設けられ、
前記受皿扉部材には、前記遊技機内から排出される遊技球を前記上受皿部内に導くための遊技球通路が前記受皿扉部材の前後を貫通して、出口部を前記上受皿部内の左端側で開口させる状態に設けられ、
前記領域レール部の最下部と、前記遊技球通路の入口部と、を斜め上下方向に結ぶ経路上に、前記第２の副壁体部が配置されることを特徴とする請求項１に記載の侵入防止部材。
【請求項３】
前記受皿扉部材の上面部には取付部が設けられると共に、
前記主壁体部の下面部には、前記取付部に取り付けられる被取付部が設けられることを特徴とする請求項２に記載の侵入防止部材。
【請求項４】
前記主壁体部において、少なくとも、前記ガラス扉枠の前方から視認可能な部位に対して、透視度低下処理を施したことを特徴とする請求項１〜３の何れか一項に記載の侵入防止部材。
【請求項５】
請求項１〜４の何れか一項に記載の侵入防止部材を備えることを特徴とする遊技機。
【発明の詳細な説明】
【技術分野】
【０００１】
本発明は、侵入防止部材及び遊技機に関し、特に、いわゆるセブン機、権利物等の弾球遊技機に適用されるものである。
【背景技術】
【０００２】
弾球遊技機は、通常、（１）パチンコホールの島設備の設置部位に固定される外枠と、（２）この外枠の左右方向に沿った一側に開閉自在に取り付けられ上部に開口部が形成された中枠と、（３）中枠の開口部に着脱自在に取り付けられる遊技盤と、（４）遊技盤の前面部を覆うガラス板を具備するガラス扉枠（前面枠）と、（５）中枠の前面部のうちで遊技盤の装着位置よりも下方側の部位に開閉自在に取り付けられると共に、遊技機内から排出される遊技球を貯留するための上皿部を備える受皿扉部材と、を備えている。
【０００３】
遊技盤の前面部には、「外側レールと内側レールとを備えるレール部材」が前方に突出する状態に配置され、このレール部材を用いて遊技領域の略円形の外縁部（外周壁）を構成している。つまり、遊技盤の前面部には、（Ａ）帯状の金属板を、開口部を下方に向けた略円弧形状（Ｃの字状）としつつ配置して構成される外側レールと、（Ｂ）外側レールの配置箇所の内側において、帯状の金属板を、開口部を上方に向けた略円弧形状（Ｃの字状）としつつ配置して構成される内側レールと、が配設される。
【０００４】
この遊技盤の前面部においては、遊技盤の右側の下方から打ち出され、左上がり傾斜状の発射レールに沿って上昇した遊技球は、遊技盤の左端側において外側レールと内側レールとの間の誘導通路を経て遊技盤の左上部に導かれる。そしてこの遊技球は、内側レールの左上端部と、外側レールの左上端部との間に形成される入口部を通じて、内側レールの略全体と、外側レールの上部側の部分とで取り囲まれた遊技領域内に放出される。そして、この遊技領域内においては、最下部にアウト口が設けられ、この最下部よりも上方の位置に各種の入賞装置が配設されている。
【０００５】
この弾球遊技機が、例えば、セブン機である場合、遊技領域内に、始動入賞装置（始動口）と、大入賞装置と、を配設している。また、この弾球遊技機は、当該遊技機の遊技状態を通常遊技状態から大当り遊技状態（つまり、特別遊技状態）に移行させるか否かの判定（以下、「当否判定」ということがある。）を行う判定手段と、この判定の結果を示す判定結果図柄の確定表示等を行う図柄表示手段（例えば、液晶表示装置等によって構成）と、を備えている。
【０００６】
この大入賞装置は、通常、入賞口（入球口の一具体例を構成すると共に、大入賞装置への遊技球の入口となる部分であって、一般には、大入賞口と称されている。）と、入賞口の開閉を行うための開閉部材と、当該入賞口を通じて入賞した遊技球を検出するための入賞球検出手段（入賞球検出スイッチ）と、を具備している。このうち、開閉部材は、通常、略扉状に構成され、遊技盤の前面部に設けられる取付部に取付られている。この開閉部材は、下端部側に傾動支点を設けつつ、前後に傾動可能（回動可能）な状態とされている。この開閉部材は、「入賞口を閉鎖する起立姿勢」及「入賞口を開放する前傾姿勢」の間で適宜、姿勢変更を行うことが可能とされている。そして、この開閉部材の姿勢は、入賞口の開放許容条件の不成立時に起立姿勢とされ、入賞口の開放許容条件の成立時に前傾姿勢とされる。
【０００７】
ここで、「通常遊技状態」とは、入賞口の開放許容条件を継続的に不成立とし、「入賞口の閉鎖状態を継続する遊技状態」を指す。また、「大当り遊技状態」とは、入賞口の開放許容条件を、所定回数に渡って間欠的に成立させ、「入賞口の開放状態を、間欠的に実現させる遊技状態」を指す。また、以下の説明において、開閉部材の姿勢を、起立姿勢から前傾姿勢に変更し、再び、起立姿勢に戻す動作、つまり、入賞口を開閉する動作を、「単位動作」と称することがある。
【０００８】
このセブン機では、「始動入賞装置への遊技球の入賞（以下、「始動入賞」という。）」を検出することを前提として、前述の「判定」の実行条件（つまり、判定実行条件）が成立する。更に、この「判定の結果を示す図柄（判定結果図柄）」の表示実行条件が成立すると、図柄表示手段において、先ず、演出表示が実行される。この演出表示は、通常、「複数の識別図柄（つまり、特別図柄）」を順次、循環表示することを内容とする表示（つまり、変動表示）である。そして、この演出表示を所定の変動時間行った後に、図柄表示手段において、判定結果図柄が確定表示（停止表示）される。
【０００９】
この判定結果図柄が、大当り図柄（判定結果が大当りであったことを示す図柄）である場合（例えば、「７，７」若しくは「７，７，７」等、構成図柄をゾロ目状態に表示してなる「ゾロ目図柄」である場合等）には、遊技機の遊技状態が「通常遊技状態」から「大当り遊技状態（特別遊技状態）」に移行する。そして、遊技機の遊技状態が「大当り遊技状態（特別遊技状態）」に移行すると、開閉部材に、所定の回数（所謂、「ラウンド数」であって、例えば、１４〜１６回）に渡って「単位動作」が施される。
【００１０】
つまり、遊技機の遊技状態が「大当り遊技状態（特別遊技状態）」に移行すると、開閉部材の開放動作を行って、閉鎖状態にある大入賞装置を開放状態に変化させる。これにより、入賞口への遊技球の入賞が可能となる。この後、この入賞口に所定個数の遊技球が入賞するか、所定時間が経過することにより、一旦、開閉部材の閉鎖動作を行い（開閉部材の姿勢を起立姿勢に戻し）、大入賞装置を閉鎖状態とし、開閉部材に施される「１回の単位動作」を完了する。つまり、開閉部材の姿勢を閉鎖姿勢から開放姿勢に変更し、再び、閉鎖姿勢に戻す、単位動作を完了する。そして、この「開閉部材の単位動作」が、所定の回数（所謂、「ラウンド数」）だけ繰り返されると、この遊技機の遊技状態は「大当り遊技状態」から「通常遊技状態」に戻される。
【００１１】
ところが、この大入賞装置のような「開閉式の入賞装置（以下、「可変入賞装置」という。）を備える遊技機においては、不正行為の対象となることがある。つまり、遊技盤と、その前方に配置されるガラス扉枠との間に構成される空間部分に、ガラス扉枠の下方から、ピアノ線や針金のような部材（以下、「不正部材」という。）を差し込み、この不正部材によって、可変入賞装置を無理に開放させ、この可変入賞装置に遊技球を不正に入賞させる不正行為が行われることがある。
【００１２】
例えば、「大入賞装置」においては、不正部材の先端部を開閉部材（アタッカー）に係止し、この不正部材によって、開閉部材（アタッカー）の姿勢を、無理に、前傾姿勢に変化させる不正行為が行われることがある。つまり、当該遊技機の遊技状態が、実際には、通常遊技状態であるにもかかわらず（開放許容条件が不成立であるにもかかわらず）、開閉部材の姿勢を無理に前傾姿勢に変化させ、入賞口に不正に遊技球を入球（入賞）させ、不正に賞球を得ようとする不正行為が行われることがある。
【００１３】
このため、かかる「不正行為の防止」を図ることを意図して、種々の侵入防止部材が提案されている。例えば、（１）ガラス扉枠のガラス収納溝に挿入された状態で、遊技盤に対面するガラス板の下方部内側面と当接する「ほぼ方形状」の板状部と、板状部の裏面側に突設されると共に内側レールの外周部に沿う円弧状に形成される防護壁とから構成される侵入防止部材が提案されている（特許文献１を参照）。また、（２）遊技盤の外周部とガラス扉枠とに圧接して、遊技盤とガラス扉枠との間に形成される空間部（隙間）を密閉する侵入防止部材（隙間密閉部材）が提案されている（特許文献２を参照）。
【特許文献１】特許第２５３０２４１号公報
【特許文献２】特開２００３−２０５１５１号公報
【発明の開示】
【発明が解決しようとする課題】
【００１４】
しかし、遊技機に対して、これらの従来例の侵入防止部材を配置しても、不正行為者の技量が高ければ、比較的、短時間にて、不正行為が実行される可能性がある。例えば、従来例の侵入防止部材では、その下方から侵入しようとする不正部材に対しては有効に機能するが、その斜め下方等から侵入しようとする不正部材に対しては有効に機能できない。このため、侵入方向を、上下方向以外の方向に変更することによって、不正部材が、比較的、短時間にて、侵入防止部材を突破して、遊技領域に到達する可能性があるからである。
【００１５】
よって、この種の侵入防止部材においては、不正部材によって突破することが、より困難となるような改良を施し、不正行為をより確実に防止したり、不正行為の実行を的確に抑止する構造とすることが重要である。
【００１６】
本発明は、このような問題を解決するためになされたものであり、その目的とするところは、不正行為をより確実に防止したり、不正行為の実行を的確に抑止できる侵入防止部材を提供することである。
【００１７】
本発明の他の目的は、既存の遊技機に対しても、後付することが容易な侵入防止部材を提供することである。
【００１８】
本発明の更に他の目的は、不正行為をより確実に防止したり、不正行為の実行を的確に抑止できる侵入防止部材を備える遊技機を提供することである。
【課題を解決するための手段】
【００１９】
請求項１に記載の侵入防止部材は、
前面部に遊技領域を形成する遊技盤と、
該遊技盤の前面部において前方に突出する状態に配設され、左上部に前記遊技領域内に遊技球を放出するための領域入口部を開口しつつ前記遊技領域の略円形状の外縁部を構成する領域レール部を備えるとともに、該領域レール部の左側方に、前記遊技領域の外縁部に沿って、前記領域レール部の最下部方向から略円弧状に上昇して前記領域入口に至る誘導通路を形成するレール部材と、
外枠と、
該外枠に対して開閉可能に軸支され、前面部に前記遊技盤を保持するとともに、前面部のうちで前記遊技盤が保持される部位よりも下方の部位に、発射装置から発射された遊技球を前記誘導通路に向かって誘導する発射レールが、左上がり傾斜状に配置される中枠と、
前記中枠の左端に開閉可能に支持されつつ前記遊技盤の前面部の前方に配置され、前記領域レール部の突端部との間に隙間部を形成するガラス扉枠と、
を備える遊技機において、前記領域レール部の下半側部分から選択されるとともに前記領域レール部の最下部を中間部に配置し、左右両側に高くなる円弧状に構成される不正対策部位の外周部に当接する状態に配置されて、前記遊技領域外の不正部材を、前記隙間部を通じて前記遊技領域に侵入させる不正行為を防止するための侵入防止部材であって、
前記不正部材の上方への侵入を防止するための防護壁体を構成する主壁体部と、該主壁体部から延設される副壁体部と、を備え、
前記主壁体部は、
前記不正対策部位の外周部に沿った円弧状の経路を描く湾曲板形状に構成されつつ上面部を前記不正対策部位の外周部に当接させ、後端部を前記遊技盤の前面部に当接させた状態で配置される湾曲壁部を具備する後方壁体部と、
略水平に配置される長尺状の略板状体を用いて構成され、長手方向を左右方向に向け、後端部のうちの左右方向に沿った中間部を、前記湾曲壁部の前端部のうちの左右方向に沿った中間部に一体化するとともに、前記不正対策部位の左右方向幅以上で前記遊技盤の左右方向幅以下の左右方向幅を有しつつ前端部を前記ガラス扉枠に到達させた状態で配置される板状部と、
前記板状部の下面部から肉厚方向を前後に向けた状態で垂下するリブと、を備え、
前記副壁体部として、
表裏面を左右に向けた略板状に構成されつつ前記湾曲壁部の右端部から垂下して、表裏一方の面によって前記遊技機の左右のうちの一方の側方外部を向いた防護壁面部を構成し、表裏他方の面によって前記遊技機の左右のうちの他方の側方外部を向いた防護壁面部を構成する第１の副壁体部と、
前記リブにおいて前記不正対策部位の左端部の直下若しくは前記不正対策部位の左端部の直下の部位よりも更に左側であって、前記誘導通路が描く略円弧状の経路の曲率半径の方向に沿って前記誘導通路よりも外側の部位から後方に突出する状態に設けられるとともに、表裏面を左右に向けた略板状に構成されつつ表裏一方の面によって前記遊技機の左右のうちの一方の側方外部を向いた防護壁面部を構成し、表裏他方の面によって前記遊技機の左右のうちの他方の側方外部を向いた防護壁面部を構成する板状体部と、該板状体部の上端部に左端部を一体化させつつ表裏面を上下に向けて配置される板状体部と、で構成される第２の副壁体部と、
のうちの少なくとも一方を備えることを特徴とする。
本明細書において参考的に開示する第１の参考発明（以下、「参考発明１」という。）の侵入防止部材は、
前面部に遊技領域を形成する遊技盤と、
該遊技盤の前面部において前方に突出する状態に配設されると共に、前記遊技領域の略円形状の外縁部を構成する領域レール部を備えるレール部材と、
前記遊技盤の前面部の前方に配置され、前記領域レール部の突端部との間に隙間部を形成するガラス扉枠と、
を備える遊技機において、前記領域レール部の下半側部分から選択される不正対策部位の下方に配置されると共に、前記遊技領域外の不正部材を、前記隙間部を通じて前記遊技領域に侵入させる不正行為を防止するための侵入防止部材であって、
前記不正対策部位の下方に、前記不正部材の上方への侵入を防止するための防護壁体を配置するための主壁体部と、
前記主壁体部の所定の部位から下方、上方、若しくは、上下方向に延設される延設壁体を用いて構成されると共に前記遊技機の側方外部を向いた防護壁面部を具備する副壁体部と、
を備えることを特徴とする。
【００２０】
請求項１の侵入防止部材は、主壁体部の他に副壁体部を備えると共に、この副壁体部が、遊技機の側方外部（右側方外部、若しくは、左側方外部）を向いた防護壁面部（防護壁面）を備える。よって、請求項１によると、侵入防止部材の直下から上方に向かう侵入経路（本明細書において、侵入経路とは、「不正部材が、遊技領域に侵入するための経路」を指す。）を、主壁体部によって遮断する。同時に、侵入防止部材の斜め下方や側方から上方に向かう特定の侵入経路（つまり、経路上の防護壁面部が存在する侵入経路である。）の経路途中に、防護壁面部が存在し、不正部材の侵入を阻止する。
【００２１】
つまり、請求項１によると、侵入防止部材を、主壁体部の他に副壁体部を備えるものとすることで、侵入防止部材の直下から上方に向かう侵入経路のみならず、侵入防止部材の斜め下方等から侵入防止部材の上方に向かう侵入経路（但し、経路上の防護壁面部が存在する特定の侵入経路に限る。）をも遮断する。よって、請求項１の侵入防止部材によると、従来の侵入防止部材に比べて、不正部材の「より多方向」からの侵入を阻止できる。従って、請求項１の発明によると、不正行為をより確実に防止したり、不正行為の実行を的確に抑止できる侵入防止部材を得ることができる。
【００２２】
ここで、各請求項の発明の「レール部材」としては、外側レールと内側レールとを備えるものを例示できる。このうち、「外側レール」は、通常、「遊技盤の前面部において、開口部を下方に向けた略円弧形状（Ｃの字状）に配置された（略円弧状の経路を描く状態に配置された）帯状の金属板」を用いて構成される。また、「内側レール」は、「遊技盤の前面部のうちで、外側レールの内側の部位において、開口部を上方に向けた略円弧形状（Ｃの字状）に配置された（略円弧状の経路を描く状態に配置された）帯状の金属板」を用いて構成される。そして、遊技盤の前面部においては、遊技盤の右斜め下方から打ち出され、左上がり傾斜状の発射レールに沿って上昇した遊技球は、遊技盤の左端側において外側レールと内側レールとの間の誘導通路を経て遊技盤の左上部に導かれる。そして、内側レールの略全体と、外側レールの上部側の部分とによって、略円形（略円形の経路を描く）を「領域レール部」が構成される。
【００２３】
この遊技盤の前面部のうちで、この領域レール部で取り囲まれた部位が、遊技領域とされる。この遊技領域内においては、最下部にアウト口が設けられ、この最下部よりも上方の位置に各種の入賞装置が配設されている。そして、遊技機において、遊技盤の斜め右下方には発射装置が配置され、遊技球は、この発射装置によって発射され、遊技盤の下方において、遊技盤の斜め右側から左側に上昇する経路を描く、発射レールに沿って上昇する。更に、この発射レールに沿って上昇した遊技球は、遊技盤の左端側において外側レールと内側レールとの間の誘導通路を経て遊技盤の左上部に導かれる。この遊技球は、内側レールの左上端部と、外側レールの左上端部との間に形成される入口部（遊技領域の入口部）を通じて、遊技領域内に放出される。
【００２４】
各請求項の発明の「不正対策部位」を、この「領域レール部の下半側部分」から適宜、選択することができるが、「領域レール部の最下部を含む円弧状の部分」として構成することが望ましい。例えば、セブン機においては、その遊技領域に配置される入賞装置のうちで、「大量の賞球を期待できる大入賞装置」が最も、不正行為の対象となり易い。そして、この「大入賞装置」は、遊技領域において、「領域レール部の最下部」の上方（アウト口の上方）に配置されることが多い。このため、「領域レール部において、大入賞装置の直下に位置する部位（領域レール部の最下部）」を含む状態にて、「不正対策部位」を選択することが望ましいからである。
【００２５】
この「不正対策部位」のサイズ（経路長）は、「大入賞装置」の左右方向に沿った幅を考慮して選択することが望ましい。例えば、領域レール部のうちで、その最下部を中央に配置し、左右両側に高くなる円弧状の部分（円弧状の経路を描く部分）であって、中心角を２０度〜１８０度（特に、３５度〜１８０度）のうちの何れかの角度とする部分を用いて、「不正対策部位」を構成することが望ましい。
【００２６】
参考発明１及び参考発明７において、副壁体部の配置箇所（副壁体部を構成する延設壁体が延設される部位）は種々選択可能であるが、「不正対策部位」の左端部の直下の部位、「不正対策部位」の右端部の直下の部位、「不正対策部位」の左端部の直下の部位よりも更に左側の部位、「不正対策部位」の右端部の直下の部位よりも更に右側の部位、及び、主壁体部の下面部（主壁体部が、下面部に突部を有する場合は、この突部の下端部であってもよい。）、のうちから選択される少なくとも１箇所を、副壁体部の延設箇所とすることができる。但し、参考発明１及び参考発明７においては、主壁体部に補助延設部を設け（副壁体部以外の延設部）を設け、この補助延設部から副壁体部を延設させてもよい。
【００２７】
各参考発明において、主壁体部の具体的の構造は特に問わず、例えば、上下面を上下方向に向けた板状の壁体で構成されもよいし、所定の凹凸を備える壁体で構成されもよい。また、各参考発明の「主壁体部」は、「不正対策部位」の下方に、「不正対策部位」の左右方向幅（不正対策部位を下方に投影した場合の長さ）と同一の左右方向幅を備える防護壁を配置してもよいし、「不正対策部位」の左右方向幅よりも大きな左右方向幅を備えるの防護壁を配置してもよい。更に、各参考発明の「主壁体部」の前後方向に沿った幅（奥行き）も、種々選択可能であるが、例えば、ガラス扉枠と遊技盤との距離（主壁体部の配置部位における距離）と等しくする態様（主壁体部の前端部をガラス扉枠に当接させ、主壁体部の後端部を遊技ガラス扉枠に当接させる態様）を例示できる。
【００２８】
本明細書において参考的に開示する第２の参考発明（以下、「参考発明２」という。）の侵入防止部材は、参考発明１の侵入防止部材において、
前記副壁体部は、前記主壁体部の左端部、前記主壁体部の右端部、及び、前記主壁体部の下端部のうちから選択される少なくとも１箇所から選択される部位から垂下することを特徴とする。
【００２９】
参考発明２は、参考発明１の侵入防止部材の具体例を示すものである。つまり、参考発明２によると、副壁体部の構造の簡略化を図りつつも、侵入防止部材の斜め下方や側方から、侵入防止部材の上方に向かう侵入経路をより確実に遮断できる。
【００３０】
請求項２に記載の侵入防止部材は、請求項１に記載の侵入防止部材において、
前記副壁体部として前記第２の副壁体部を備え、
前記遊技機において前記ガラス扉枠の下方の位置には、遊技球を貯留するための上受皿部を備える受皿扉部材が装着され、前記遊技機において該受皿扉部材の下方の位置には下皿部が突出状に設けられ、
前記受皿扉部材には、前記遊技機内から排出される遊技球を前記上受皿部内に導くための遊技球通路が前記受皿扉部材の前後を貫通して、出口部を前記上受皿部内の左端側で開口させる状態に設けられ、
前記領域レール部の最下部と、前記遊技球通路の入口部と、を斜め上下方向に結ぶ経路上に、前記第２の副壁体部が配置されることを特徴とする。
【００３１】
請求項２の発明は、以下の観点に鑑みてなされたものである。つまり、受皿部（上皿部）においては、「遊技球通路」が、その前方（遊技者や不正行為者の方向）に向かって、その出口部を開口させるため、不正行為者が、この「遊技球通路」を通じて、不正部材を受皿扉部材の背後（後方）に挿入する可能性がある。これに対して、請求項２の発明では、不正部材が「遊技球通路」を通じて受皿扉部材の背後（後方）に挿入される場合に、この不正部材が通過する侵入経路上に副壁体部が配置する。このため、請求項２の発明によると、不正行為をより一層確実に防止したり、不正行為の実行をより一層的確に抑止できる。尚、請求項２の発明の「領域レール部の最下部と、遊技球通路の入口部とを斜め上下方向に結ぶ経路」としては、「直線状の経路」を例示できる。
【００３２】
請求項４に記載の侵入防止部材は、請求項１〜３の何れか一項に記載の侵入防止部材において、
前記主壁体部において、少なくとも、前記ガラス扉枠の前方から視認可能な部位に対して、透視度低下処理を施したことを特徴とする。
【００３３】
請求項４の発明によると、不正行為をより一層確実に防止したり、不正行為の実行をより一層的確に抑止できる。つまり、不正行為者の多くは、遊技機において遊技盤の下方の位置に挿入した不正部材を、遊技盤の前方に移行させる際に、ガラス扉枠の前方から遊技機の内部を覗き込みつつ、不正部材の位置（特に、不正部材の先端部の位置）を確認する。これに対して、請求項４の発明によると、主壁体部の透視度を低下させる処理を施して、不正部材の位置（特に、不正部材の先端部の位置）を確認困難、若しくは、確認不可能とするため、不正行為の実行が不可能、若しくは、困難となる。従って、請求項４の発明によると、不正行為をより一層確実に防止したり、不正行為の実行をより一層的確に抑止できる侵入防止部材を得ることができる。
【００３４】
尚、請求項４の発明では、主壁体部のうちで、透視度低下処理が施された部位の下方に副壁体部を配置すると、不正行為者は、副壁体部の位置確認が困難、若しくは、不可能となる。このため、不正行為者にとっては、不正行為を遂行することが、より一層、困難となる。
【００３５】
ここで、請求項４の発明及び後述する参考発明８の「透視度低下処理」とは、主壁体部の透視度を低下させるための処理、つまり、主壁体部を上下方向に透視できる度合いを低下させる処理である。具体的には、（１）主壁体部に色彩を施す処理、（２）主壁体部に模様を施す処理、（３）主壁体部に図形、その他の線図を施す処理、（４）主壁体部（特に、その上面部）に、乱反射の発生手段（傷、スリット、凹凸等）を設ける処理、若しくは、（１）〜（４）の処理のうちの２つ以上を組み合わせた処理、等を例示できる。尚、主壁体部を樹脂の一体成形品で作成する場合、（１）の主壁体部に色彩を施する処理は、この一体成形品の成形時に行っても（例えば、材料中に顔料を混入する。）よいし、一体成形品の成形後の事後的な着色によって行ってもよい。更に、主壁体部の上面部に、遊技領域に配設された「セル画」と、同一の色彩、模様、線図等を施して、この「透視度低下処理」を行うこともできる。
【００３６】
請求項４の発明及び関連発明１において、「ガラス扉枠の前方から視認可能な部位」としては、後述する参考発明３〜参考発明５の「前方壁体部」、参考発明５の「左側の延設部及び右側の延設部」や、これらの一部等を例示することができる。
【００３７】
本明細書において参考的に開示する第３の参考発明（以下、「参考発明３」という。）の侵入防止部材は、参考発明１又は参考発明２の何れかの発明に係る侵入防止部材において、
前記不正対策部位は、前記領域レール部の最下部を中間部に配置し、左右両側に高くなる円弧状に構成され、
前記主壁体部は、前記不正対策部位の外周部に沿った円弧状の当接面部を備えると共に該当接面部を該外周部に当接させた状態で配置される後方壁体部と、
長尺状の略板状体を用いて構成されると共に、長手方向を左右方向に向け、後端部を前記後方壁体部に一体化し、前端部を前記ガラス扉枠に到達させた状態で配置される前方壁体部と、
を備えることを特徴とする。
【００３８】
参考発明３は、主壁体部の具体的な態様を示している。そして、参考発明３によると、主壁体部の後方壁体部の当接面部を、不正対策部位の外周部に当接させることで、不正対策部位の位置決めを円滑に行うことができる。
【００３９】
また、参考発明３では、後方壁体部を不正対策部位の外周部に当接させると共に、前方壁体部の前端部をガラス扉枠に到達させ、「侵入防止部材の不正対策部位及びガラス扉枠への接触度合い」を高めている。つまり、侵入防止部材の周囲の隙間を排除するか、少なくするため、「不正部材を侵入防止部材の下方から上方に侵入させる不正行為」が、より一層、行い難くされている。
【００４０】
参考発明３においては、後方壁体部の後端部を遊技盤の前面部に到達させると、後方壁体部の後端部と、遊技盤の前面部との間に、「不正部材の侵入経路」が生ずることを防止したり、「不正部材の侵入経路が生ずる範囲」を狭くできるため望ましい。この場合、後方壁体部の後端部の全域が遊技盤の前面部に到達する態様（以下、「前者の態様」という。）とすることが特に望ましいが、後方壁体部の後端部の一部のみが、遊技盤の前面部に到達する態様（以下、「後者の態様」という。）とされてもよい。
【００４１】
ここで、「前者の態様」を具体的に述べると、例えば、「後方壁体部の後端部のうちでアウト口の直下に位置する部位を除く部位」を遊技盤の前面部に当接させ、「後方壁体部の後端部のうちで領域レール部の最下部の下方に位置する部分（以下、「最下部下方部分」という。）を、「アウト口の直下の位置」、若しくは、「アウト口の直下よりも遊技機の奥側の位置」に到達させる態様を例示できる。また、「後者の態様」においては、少なくとも、「最下部下方部分」を、「アウト口の直下の位置」、若しくは、「アウト口の直下よりも遊技機の奥側の位置」に到達させることが望ましい。このように、「最下部下方部分」を、「アウト口の直下の位置」、若しくは、「アウト口の直下よりも遊技機の奥側の位置」に到達させることが望ましいのは、以下の理由による。
【００４２】
つまり、「領域レール部の最下部」は、遊技盤面に設けられたアウト口に遊技球（アウト球）を案内するための案内部を構成するが、この領域レール部の最下部（案内部）の後端部は、通常、切り欠き部とされている。しかも、遊技盤（遊技領域）において、この切り欠き部の真上の位置に、大入賞装置が配置されるのが一般的なため、不正行為者は、「この切り欠き部の下方から、切り欠き部を通過して大入賞装置に至る経路」を、「不正部材の侵入経路」として選択する可能性が高い。このため、「最下部下方部分」を、「アウト口の直下の位置」、若しくは、「アウト口の直下よりも遊技機の奥側の位置」に到達させることによって、この経路を遮断することが望ましいからである。
【００４３】
「前方壁体部の前端部をガラス扉枠に到達させること」には、前方壁体部の前端部をガラス扉枠の背面部（後面部であって、遊技盤との対向面部である。）に当接させることの他に、前方壁体部の前端部がガラス扉枠の背面部よりも、遊技機の前方に到達させること（例えば、ガラス扉枠の背面部に後方に開口する凹部を設け、前方壁体部の前端部を、この凹部を進入させること等）も含まれる。また、「前方壁体部の前端部をガラス扉枠に到達させること」には、前方壁体部の前端部の全域（左右方向に沿った全幅の範囲）を、ガラス扉枠に到達させることの他に、前方壁体部の前端部の一部（左右方向に沿った一部の範囲）をガラス扉枠に到達させることも含まれる。但し、後者の「前方壁体部の前端部の一部」をガラス扉枠に到達させる態様においては、少なくとも、「前方壁体部のうちで、不正対策部位の前方に位置する部分」をガラス扉枠に到達させることが望ましい。
【００４４】
通常、ガラス扉枠は、ガラス板と、このガラス板を保持する扉枠本体とを備えているが、参考発明３においては、前方壁体部の前端部が、扉枠本体に到達してもよいし、ガラス板に到達してもよいし、扉枠本体及びガラス板の双方に到達してもよい。また、各請求項の発明において、扉枠本体に、ガラス板を保持するための保持手段は、扉枠本体に対して固定的に装着されても（開閉不可能な状態に装着されても）、開閉可能な状態に装着されてもよい。
【００４５】
参考発明３においては、前方壁体部の後端部の全域（左右方向に沿った全幅の範囲）が後方壁体部に一体化されていてもよいし、前方壁体部の後端部の一部のみが後方壁体部に一体化されていてもよい。この後者の「一部のみが後方壁体部に一体化される態様」においては、一体化する部位を種々選択可能であるが、例えば、後方壁体部の最下部、若しくは、最下部付近に、一体化する態様を例示できる。
【００４６】
本明細書において参考的に開示する第４の参考発明（以下、「参考発明４」という。）の侵入防止部材は、参考発明３の侵入防止部材において、
前記後方壁体部の左端部と、前記後方壁体部の右端部とのうちの少なくとも一方に、前記後方壁体部を下方に延設する下方延設部を設け、前記後方壁体部を折り返し形状とすると共に、
該下方延設部によって、前記副壁体部を構成することを特徴とする。
【００４７】
参考発明４は、参考発明３の副壁体部の更に具体的な構成を例示するものである。この参考発明４では、副壁体部を、例えば、後方壁体部と共に一体成形することもできる。
【００４８】
本明細書において参考的に開示する第５の参考発明（以下、「参考発明５」という。）の侵入防止部材は、参考発明１〜４の何れかの発明に係る侵入防止部材において、
前記主壁体部の左端部には、前記防護壁を左側方に延長する左側の延設部が設けられ、前記主壁体部の右端部には、前記防護壁を右側方に延長する右側の延設部が設けられると共に、
各延設部の前端部が、前記ガラス扉枠に到達することを特徴とする。
【００４９】
参考発明５では、主壁体部によって構成される防護壁を左右の延設部によって延長すると共に、この左右の延設部の前端部を、ガラス扉枠に到達させる。つまり、不正対策部位の下方のみではなく、不正対策部位の下方を含む広範な部位に防護壁を配置することを意図している。このため、参考発明５によると、「遊技領域のより広範な部位の可変入賞装置」に対する不正行為を的確に防止できる。
【００５０】
参考発明５が、参考発明３又は参考発明４に従属する場合には、以下の態様（以下、「関連発明１」という。）を例示できる。つまり、関連発明１の侵入防止部材としては、「参考発明３又は参考発明４に係る侵入防止部材において、前記主壁体部の左端部には、左側方に向かう長尺状な略板状体を用いて構成される左側の延設部が延設され、前記主壁体部の右端部には、右側方に向かう長尺状な略板状体を用いて構成される右側の延設部が延設されると共に、各延設部の前端部が、前記ガラス扉枠に到達することを特徴とする侵入防止部材」を例示できる。
【００５１】
参考発明５においては、各延設部の前端部の全域が、ガラス扉枠に到達（当接等）してもよいが、各延設部の前端部の一部のみがガラス扉枠に到達（当接等）してもよい。また、参考発明５においては、各延設部の後端部が、遊技盤の前面部に到達（当接等）することが望ましい。この場合においても、各延設部の後端部の全域が、遊技盤の前面部に到達（当接等）してもよいが、各延設部の後端部の一部のみが遊技盤の前面部に到達（当接等）してもよい。
【００５２】
参考発明５において、防護壁の全幅（左右方向幅）を種々選択可能であるが、（１）領域レール部の全幅（左右方向幅）と等しい幅や、（２）領域レール部の全幅（左右方向幅）を下限値とし、遊技盤の全幅（左右方向幅）を上限値とする範囲で選択される幅、等とすることができる。つまり、参考発明５において、領域レール部の下方の広範は範囲に防護壁を配置し、領域レール部の全幅（左右方向幅）部分を不正行為から防護することを意図している。
【００５３】
請求項３に記載の侵入防止部材は、請求項２に記載の侵入防止部材において、
前記受皿扉部材の上面部には取付部が設けられると共に、
前記主壁体部の下面部には、前記取付部に取り付けられる被取付部が設けられることを特徴とする。
【００５４】
請求項３の発明によると、受皿扉部材の上面部に取付部を設けることを条件に、侵入防止部材の遊技機への配置を円滑に行うことができる。また、既存の遊技機を構成する受皿扉部材の上面部に取付部を付加したり、受皿扉部材の上面部の既存の突起等を取付部として利用すれば、侵入防止部材を後付けを行うこともできる。尚、取付部及び被取付部の組み合わせとしては、（１）一方が凹部で、他方がこの凹部に嵌合若しくは遊入される凸部である組み合わせ、（２）両者が相互に係合する係合部である組み合わせ、（３）両者が相互に係止される係止部である組み合わせ、等を例示できる。
【００５５】
本明細書において参考的に開示する第６の参考発明（以下、「参考発明６」という。）の侵入防止部材は、
前面部に遊技領域を形成する遊技盤と、
該遊技盤の前面部において前方に突出する状態に配設されると共に、前記遊技領域の略円形状の外縁部を構成する領域レール部を備えるレール部材と、
前記遊技盤の前面部の前方に配置され、前記領域レール部の突端部との間に隙間部を形成するガラス扉枠と、
を備える遊技機において、前記領域レール部の下半側部分から選択される不正対策部位の下方に配置されると共に、前記遊技領域外の不正部材を、前記隙間部を通じて前記遊技領域に侵入させる不正行為を防止するための侵入防止部材であって、
前記不正対策部位の下方に、前記不正部材の上方への侵入を防止するための防護壁を配置するための主壁体部を備えると共に、
前記主壁体部において、少なくとも、前記ガラス扉枠の前方から視認可能な部位に対して、透視度低下処理を施したことを特徴とする。
【００５６】
参考発明６によっても、不正行為をより確実に防止したり、不正行為の実行を的確に抑止できる侵入防止部材を得ることができる。つまり、請求項４の発明と同様に、主壁体部に透視度低下処理を施するため、不正行為者にとっては、不正部材の位置（特に、不正部材の先端部の位置）の確認が困難、若しくは、不可能となる。このため、参考発明６によっても、不正行為をより確実に防止したり、不正行為の実行を的確に抑止できる侵入防止部材を得ることができる。
【００５７】
尚、参考発明６も、参考発明３〜参考発明４のうちの何れかの発明に係る特徴、若しくは、関連発明１の特徴を備えてもよい。
【００５８】
請求項５の発明の遊技機は、請求項１〜４の何れか一項に記載の侵入防止部材を備えることを特徴とする。
本明細書において参考的に開示する第７の参考発明（以下、「参考発明７」という。）の遊技機は、
前面部に遊技領域を形成する遊技盤と、
該遊技盤の前面部において前方に突出する状態に配設されると共に、前記遊技領域の略円形状の外縁部を構成する領域レール部を備えるレール部材と、
前記遊技盤の前面部の前方に配置され、前記領域レール部の突端部との間に隙間部を形成するガラス扉枠と、
前記領域レール部の下半側部分から選択される不正対策部位の下方に配置されると共に、前記遊技領域外の不正部材を、前記隙間部を通じて前記遊技領域に侵入させる不正行為を防止するための侵入防止部材と、
を備える遊技機であって、
前記侵入防止部材は、
前記不正対策部位の下方に、前記不正部材の上方への侵入を防止するための防護壁を配置するための主壁体部と、
前記主壁体部の所定の部位から下方、上方、若しくは、上下方向に延設される延設壁体を用いて構成されると共に側方外部を向いた防護壁面部を具備する副壁体部と、
を備えることを特徴とする。
【００５９】
参考発明７の遊技機は、参考発明１の「侵入防止部材」を備える遊技機であり、参考発明７によると、参考発明１と同様な効果が得られる。
【００６０】
本明細書において参考的に開示する第８の参考発明（以下、「参考発明８」という。）の遊技機は、
前面部に遊技領域を形成する遊技盤と、
該遊技盤の前面部において前方に突出する状態に配設されると共に、前記遊技領域の略円形状の外縁部を構成する領域レール部を備えるレール部材と、
前記遊技盤の前面部の前方に配置され、前記領域レール部の突端部との間に隙間部を形成するガラス扉枠と、
前記領域レール部の下半側部分から選択される不正対策部位の下方に配置されると共に、前記遊技領域外の不正部材を、前記隙間部を通じて前記遊技領域に侵入させる不正行為を防止するための侵入防止部材と、
を備える遊技機であって、
前記侵入防止部材は、
前記不正対策部位の下方に、前記不正部材の上方への侵入を防止するための防護壁を配置するための主壁体部を備えると共に、
前記主壁体部において、少なくとも、前記ガラス扉枠の前方から視認可能な部位に対して、透視度低下処理を施したことを特徴とする。
【００６１】
参考発明８の遊技機は、参考発明６の「侵入防止部材」を備える遊技機であり、参考発明８によると、参考発明６と同様な効果が得られる。
【発明の効果】
【００６２】
以上記述したように、請求項１〜請求項４の各発明によれば、不正行為をより確実に防止したり、不正行為の実行を的確に抑止できる侵入防止部材が得られる。また、請求項５の発明によると、不正行為をより確実に防止したり、不正行為の実行を的確に抑止できる侵入防止部材を備える遊技機を得ることができる。
【発明を実施するための最良の形態】
【００６３】
以下、発明を実施するための最良の形態を示す実施例について図面に基づいて説明する。以下に示す各実施例では、各請求項に係る発明を、「セブン機」と称する遊技機（パチンコ機）１に適用した各具体例について説明する。
【００６４】
（１）機械的な構造
ａ．遊技機の前面側の全体構造
先ず、この遊技機１の全体構造について、図１〜図１１を参照して説明する。この遊技機１は、図１〜図２に示すように、外枠２と、この外枠２に装着された遊技機本体Ｈと、を備えている。
【００６５】
このうち、外枠２は、パチンコホールの島設備に設けられた設置部位に固定されると共に、遊技機本体Ｈを支持するためのものである。この外枠２は、図２に示すように、略矩形状の枠状体（額縁状体）によって構成されている。この外枠２は、略矩形状の枠状体によって構成される外枠本体２１と、外枠本体２１の前面下部を覆う前板部２２と、を備えている。
【００６６】
遊技機本体Ｈは、図１及び図２に示すように、外枠２の一側（遊技者から見て左端側）に回動自在に組み付けてられている。この遊技機本体Ｈは、遊技機１のうちで外枠２を除く部分であって、中枠３と、前面枠４と、遊技盤１０（図８を参照）と、裏機構盤１０２（図１０を参照）等を主要部としている。尚、図２においては、遊技盤１０の図示を省略している。
【００６７】
中枠３は、全体がプラスチック製であり、外枠２の内側に嵌めこまれ、外枠２に対して開閉可能に軸支されている。また、中枠３の右端中央には施錠装置７が設けられている。更に、中枠３の下方側の前面部には、遊技球を遊技盤１０に発射する発射装置（図示を省略）と、遊技球を発射ユニットに供給するための球送り装置（図示を省略）と、発射装置から発射された遊技球を外レール１４（後述する。）に向かって誘導する発射レール（図４参照）５５と、遊技状態に応じた効果音その他の音（音声）を発生させるスピーカー４００ａ（図１１参照）等が配設されている。尚、発射レール５５は、中枠３の下方側の前面部において、左方向に向かって上がり傾斜状に設けられている。
【００６８】
中枠３の前面部には、遊技盤１０（図８参照）が保持されている。そして、遊技盤１０の背面部には、裏機構盤１０２（図１０参照）が装着され、この背面部を覆う状態とされている。尚、遊技盤１０及び裏機構盤１０２の詳細に関しては後述する。
【００６９】
前面枠４は、ガラス扉枠の具体例を構成するものであり、図１及び図２に示すように、中枠３の前面側に配置され、中枠３の左端に開閉可能に支持されている。この前面枠４は、全体がプラスチック製である。また、前面枠４は円形状の開口部４ａを有している。この開口部４ａは、前面枠４を閉じた状態としたときに、前面枠４の奥側（背後）に配置される遊技盤１０の盤面を、前方（遊技者の側）から視認可能とするためのものである。つまり、この開口部４ａは、遊技盤１０に形成された遊技領域１１（図４参照）の形状に対応して、略円周状に開設されている。
【００７０】
図２及び図３に示すように、前面枠４の裏面において、開口部４ａの略矩形状の取り囲む部位のうちで、上辺部を除く部位には、略コ字形に形成された保持部材４１が配設されている。この保持部材４１は、２つの保持溝４１ａ、４１ｂを遊技機１の前後（前面枠４の厚さ方向）に形成するものである。また、これらの保持溝４１ａ、４１ｂは、前面枠４の上方に向かって開放されており、これらの保持溝４１ａ、４１ｂには、前面枠４の上方から、ガラス板４１ｃ、４１ｃが挿入されている。但し、図２においては、後方の保持溝４１ｂに装着されるガラス板４１ｃの図示を省略している。
【００７１】
本遊技機１においては、前面枠４を閉じた状態とすると、前面枠４の開口部４ａと、遊技盤１０の遊技領域１１（後述する。）とが前後方向に位置合わせされる。このため、遊技者は、ガラス板４１ｃ、４１ｃを通じて、遊技領域１１を視認することができる。尚、本実施例の前面枠（ガラス扉枠）４において、ガラス板４１ｃ、４１ｃを直接的に保持する部分（保持部材４１）を、前面枠４の裏面に開閉不可能な状態に装着したが、本実施例と異なり、この部分を、ガラス板４１ｃ、４１ｃと一体で開閉可能な状態に装着してもよい。
【００７２】
図１に示すように、前面枠４には、各種のＬＥＤ表示部４ｂ、４ｃ、４ｄ、４ｅ、４ｆが設けられ、これらのＬＥＤ表示部４ｂ〜４ｆは、遊技効果を高めること等を目的として、ゲームの進行に応じて点灯及び消灯したり、点滅する。また、前面枠４の前面上方側の中央で左右に並ぶ２個の中上ＬＥＤ表示部４ｆ、４ｆの間には、２個の賞球ＬＥＤ表示部４ｇが設けられている。更に、賞球ＬＥＤ表示部４ｇの上方には、エラーＬＥＤ表示部４ｈが略扇形に設けられている。
【００７３】
本実施例においては、図１７及び図１８に示すように、前面枠４を閉じたときに、前面枠４の裏面部４７と、遊技盤１０の前面部１０ａとの間に、空間部（以下、「盤前空間部」という。）Ｋが形成される。また、前面枠４を閉じたときに、前面枠４の裏面部４７と、後述する「領域レール部ｒ」との間には、隙間部（以下、「レール前隙間部」という。）Ｓが形成される。但し、図１７及び図１８においては、説明の便宜上、盤前空間部Ｋと、レール前隙間部Ｓを誇張しつつ図示している。
【００７４】
図１に示すように、中枠３の前面部において、前面枠３の下方側の部位には、受皿扉部材５が開閉可能に装着されている。尚、前述の発射レール５５は、図４に示すように、受皿扉部材５の後方（背後）に配置されている。また、受皿扉部材５の裏側には、音量スイッチ基板１２（図１１参照）が設けられ、受皿扉部材５の皿外縁部５ａには球抜きボタンや遊技球の貸出・返却ボタン等が設けられている。
【００７５】
この受皿扉部材５は、図５及び図６に示すように、中枠３の左端に開閉可能に支持された前板部５１と、前板部５１の前面部から前方に突出する上皿部５２とを備えている。また、上皿部５２は、上方に開口する容器形状に構成されると共に、底部５２１を右方向に向かって下り傾斜としている。更に、上皿部５２の周壁部５２２のうちで後方に位置する部位（以下、「奥壁部」という。）５２２ｂであって、しかも、左端側の部位には、遊技球通路５Ｂの出口部が設けられ、この出口部が排出口５ｂを構成している。この遊技球通路５Ｂは、遊技機１内から排出される遊技球を、上皿部５２の内部に導くものであり、前板部５１の後面部（背面部）から奥壁部５２２ｂの前面部に向かって貫通する状態に設けられている。尚、遊技球通路５Ｂの入口部（図示を省略）が、前板部５１の後面部で開口している。
【００７６】
奥壁部５２２ｂの上端面は凹部５２２ｃが形成され、この凹部５２２ｃには突起部５２２ｄが設けられている。この突起部５２２ｄは、取付部５２ａの具体例を構成する。そして、本実施例では、この取付部５２ａを用いて、上皿部５２に侵入防止部材５００が装着されている。そして、図７（ｂ）に示すように、侵入防止部材５００は、受皿扉部材５と一体にて前後に回動可能とされている。この侵入防止部材５００の詳細については後述する。
【００７７】
図１及び図２に示すように、前面枠３の前面部であって、上皿部５よりも下方の部位には、下皿部６が突出状に設けられている。そして、この下皿部６の略中央には、遊技機１の内部から遊技球を排出するための排出口６ａが設けられている。また、下皿部６の左端には灰皿６ｂが設けられ、下皿部６の右端には発射ハンドル９が設けられている。更に、下皿部６の上部には、灰皿６ｂの上面を開閉可能なスライド蓋が設けられている。また、下皿部６の底面には球抜き孔（図示を省略）が設けられている。この球抜き孔は、通常時には、閉鎖されているが、下皿部６に貯留された遊技球を遊技機１から排出する際に開放状態とされる。
【００７８】
図１及び図２に示すように、発射ハンドル９は、発射装置ユニット（図示を省略）に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。また、施錠装置７は、正面視すると鍵穴を備えた略長方形状を呈し、前面枠４を閉鎖した場合に施錠するためのものである。
【００７９】
更に、図１及び図２に示すように、遊技機１の左端側には、プリペイドカードユニット１３が設けられている。尚、上皿部５の略中央部には第１音声出力部５ｃが設けられている。この第１音声出力部５ｃには、スピーカー４００ａを構成する中高音用ユニット（ツィータ）が、ダクト（図示を省略）を介して接続されている。
【００８０】
また、下皿部６における排出ノブ６ｃの右側及び左側には第２音声出力部６ｄが設けられている。この第２音声出力部６ｄには、スピーカー４００ａを構成するユニット（ウーハ）が、ダクト（図示を省略）を介して接続されている。また、本遊技機１では、上皿部５の前面における左端側の部位に、２つの操作ボタンＢ１、Ｂ２を配置している。
【００８１】
ｂ．遊技盤１０の構成
次に、遊技盤１０の構成について、図８及び図９を中心にして説明する。この遊技盤１０は、中枠３（図１を参照）に保持されるとともに、後述する裏機構盤１０２（図１０参照）によりその背面側が覆われている。
【００８２】
この遊技盤１０の前面部１０ａには、図９に示すように、レール部材Ｒが配置されている。このレール部材Ｒは、ともに帯状の金属板を用いて構成される外側レール１４と、内側レール１５とを用いて構成されている。そして、この遊技盤１０の前面部１０ａにおいて、このレール部材Ｒのうちで、領域レール部ｒによって、遊技盤１０の前面部１０ａに構成される遊技領域１１の外縁部Ｇを構成している。
【００８３】
つまり、外側レール１４は、遊技盤１０の前面部１０ａにおいて、「開口部を下方に向けた略円弧形状に配置された帯状の金属板」を用いて構成される。また、内側レール１５は、遊技盤１０の前面部１０ａのうちで、外側レール１４の内側の部位において、「開口部を上方に向けた略円弧形状に配置された帯状の金属板」を用いて構成される。そして、内側レール１５の略全体と、外側レール１４の上部側の部分とによって、略円形の「領域レール部ｒ」が構成される。
【００８４】
本遊技機１においては、遊技盤１０の右斜め下方の発射装置によって打ち出され、左上がり傾斜状の発射レール５５に沿って上昇した遊技球Ｖは、遊技盤１０の左端側において、外側レール１４と内側レール１５との間の誘導通路Ｙを経て、遊技盤１０の左上部の「領域入口部Ｙ１」に導かれた後、「領域レール部ｒ」によって包囲された遊技領域１１に放出される構造となっている。
【００８５】
図８に示すように、遊技領域１１内には、中央装置２６と、始動口（普通電動役物１７１）１７と、下部装置１８と、左入賞口１９、右入賞口２０、左下入賞口２１、右下入賞口２２と、多数の障害釘２３と、一対のランプ風車２４、２５等が配設されている。
【００８６】
図３に示すように、中央装置２６は遊技領域１１の略中央部に配置されると共に、液晶表示装置２７を備えている。また、中央装置２６の上部中央には、普通図柄表示装置３２が配置されている。この普通図柄表示装置３２は、７セグメント表示器３２ａと、普通図柄保留表示ＬＥＤ３２ｂとを有している。更に、中央装置２６の左右斜め下方には、普通図柄作動ゲート３６、３７がそれぞれ設けられ、この左右の普通図柄作動ゲート３６、３７内に左、右普通図柄作動ゲート通過検出スイッチ３６ｓ、３７ｓ（図１１参照）が配設されている。
【００８７】
遊技領域１１において、中央装置２６の下方に離れた位置には、始動口１７が配設されている。そして、この始動口１７の入口側部分に、普通電動役物１７１が配置されている。つまり、この普通電動役物１７１は、いわゆるチューリップ式で左右に一対の翼片部が開閉するべく形成されている。また、普通電動役物１７１の内部には、遊技球の通過を検出する始動口（普通電動役物１７１）入賞検出スイッチ１７ｓ（図１１参照）と、翼片部を作動させるための始動口（普通電動役物）ソレノイド１７ｃ（図１１参照）とが備えられている。この一対の翼片部が左右に開くと、遊技球の入球可能性が大きくなる開放状態となり、一対の翼片部が立設され、遊技球の入球可能性が小さくなる通常状態となる。
【００８８】
下部装置１８は、上記始動口（普通電動役物１７１）１７の下方に配設されており、前面側が略逆台形状に形成された基板３４に、大入賞装置３１と、左下入賞口２１と右下入賞口２２とを備えている。ここで、大入賞装置３１は、略中央に形成され、帯状に開口された大入賞口３１１と、この大入賞口３１１を開放・閉鎖する開閉板３１２と、この開閉板３１２を開閉するための大入賞口ソレノイド３１３（図１１参照）と、連動杆（図示略）と、入賞球を検出する入賞球検出スイッチ３１８（図１１参照）と、裏箱（図示略）と、大入賞口中継基板（図示略）とから主に構成されている。
【００８９】
また、左下入賞口２１は、始動口（普通電動役物１７１）１７の略斜め左下側に配設されて、内部に左下入賞口通過検出スイッチ２１ｓ（図１１参照）が設けられている。そして、この左下入賞口２１の下方には複数個の左下入賞口ＬＥＤ２２３が左下入賞口ＬＥＤ基板２１ｆ（図１１参照）に取り付けられ、飾りレンズによって被覆されている。さらに、右下入賞口２２は、始動口（普通電動役物）１７の略斜め右下側に配設されて、内部に右下入賞口通過検出スイッチ２２ｓ（図４参照）が設けられている。そして、この右下入賞口２２の下方には複数個の右下入賞口ＬＥＤ２２４が右下入賞口ＬＥＤ基板２２ｆ（図１１参照）に取り付けられ、飾りレンズによって被覆されている。
【００９０】
下部装置１８の左右斜め上方には、左入賞口１９及び右入賞口２０がそれぞれ配設されている。そして、その内部にはそれぞれ、左入賞口通過検出スイッチ１９ｓ（図１１参照）、右入賞口通過検出スイッチ２０ｓ（図１１参照）が設けられている。また、中央装置２６の左右斜め上方には、一対のランプ風車２４、２５がそれぞれ配設されている。さらに、遊技領域１１の左右両端部には、一対のサイドランプ３８、３９がそれぞれ縦円弧状で相対称状に配設されている。
【００９１】
これらの障害釘２３は、以上説明した各遊技装置との位置バランスを考慮して、遊技領域１１にパチンコ遊技に適するべく、配設されている。また、遊技領域の最下部にはアウト口４８が設けられている。尚、図９に示すように、「領域レール部ｒ」の最下部ｒ１はアウト口４８に遊技球（アウト球）を案内するための案内部を構成するが、この最下部ｒ１には、切り欠き部ｒｋが設けられている（図１７を参照）。また、図８に示すように、アウト口４８の下部にはバック球防止部材５８が設けられており、遊技領域１１に到達せず戻ってきた遊技球が再び発射位置に戻ることを防止している。一方、ファール球防止部材５９は、内レール１５の先端部に取り付けられ、返しゴム６０は、ファール球防止部材５９の位置とは略正反対側の、遊技盤１０の右半分側の位置であって、外レール１４に沿って嵌合状に取り付けられている。
【００９２】
尚、本遊技機１では、図１に示すように、上皿部５の前面における左端側の部位に操作ボタンＢ１、Ｂ２を配設している。この操作ボタンＢ１、Ｂ２は、液晶表示装置２７の表示画面２７１で行われる表示に変更を加えるためのものである。
【００９３】
本実施例では、図９に示すように、大入賞装置３１のサイズを考慮し、不正対策部位Ｆを以下のように定めている。つまり、大入賞装置３１は、「領域レール部ｒ１のうちでその最下部ｒ２を中央に配置し、左右両側に高くなると共に中心角（Ｄ）を２５度とする円弧状部分ｒ３」の上方に位置している。このため、この「円弧状部分ｒ３」よりも、更に広範な「円弧状部分ｒ５」によって不正対策部位Ｆを構成し、大入賞装置３１への不正行為の防止を図っている。つまり、「領域レール部ｒ１のうちでその最下部ｒ２を中央に配置し、左右両側に高くなると共に中心角（Ｅ）を８０度とする円弧状部分ｒ５」によって不正対策部位Ｆを構成している。尚、図９等においては、図示の便宜を図るため、不正対策部位Ｆを、「円弧状の帯形状」にハッチング表示を施して示している。
【００９４】
次に、本遊技機１の裏面構造について図１０を参照して説明する。前面枠４（図１）は中枠３にあって、前面枠４の上下端の位置に設けられた一対のヒンジ１０１により、開閉可能に支持されている。また、裏機構盤１０２は中枠３にあって裏機構盤１０２の上下端の位置に設けられた一対のヒンジ１０３により、開閉可能に支持されている。更に、遊技盤１０は中枠３の表面側に着脱可能に取り付けられている。また、上端側にあるヒンジ１０１の配設位置からみて左側には、タンク球切れ検出スイッチ１０４をタンク底部に備えた賞球タンク１０５と、この賞球タンク１０５に接続されるタンクレール１０６とが取り付けられている。更に、タンクレール１０６の右側には、球抜きレバー１０７が設けられ、その下流側には、補給球切れ検出スイッチ（図示を省略）が、さらに、その下流側には、裏側遊技装置としての賞球払出装置１０９が配設されている。
【００９５】
また、遊技球の振り分け部（図示略）が賞球払出装置１０９の下流側に設けられている。タンクレール１０６の下側には、液晶表示装置２７（図８参照）を格納した蓋付きの裏ケース（図示ぜす）が設けられ、この裏ケースの下側には、後述する主制御部１４０（図１１参照）を構成する主制御基板を格納した主制御基板ケース１１２が配設されている。
【００９６】
この主制御基板ケース１１２の背面下側には、発射装置制御部１９３（図１１参照）を構成する発射装置制御基板を格納した発射装置制御基板ケース１１３と、発射制御集合中継基板（図示略）と、が設けられている。また、裏機構盤１０２の左下方部には、上述した発射装置ユニット（図示略）が配設され、裏機構盤１０２の右下方部には、払出制御部１５０（図１１参照）を構成する払出制御基板を格納した払出制御基板ケース１１８が配設されている。更に、遊技機１の裏面側には、中継基板（図示を省略）が装着されている。
【００９７】
図１１に示すように、この中継基板１９０は、入賞球検出スイッチ３１８，１９ｓ〜２２ｓ等と主制御部１４０とを中継するための基板とされている。尚、本実施例においては、主制御基板ケース１１２、中継基板１９０及び払出制御基板ケース１１８は、金属板（図示を省略）に着脱自在に装着され、この金属板は裏機構盤１０２に対して回動自在に懸架されている。
【００９８】
一方、裏機構盤１０２の左下端部には、ヒューズボックス１１９、電源スイッチ１２０、電源ターミナル基板１２１及び大当り、発射装置制御、球切れ、扉開放、賞球、球貸し用等の遊技機枠用外部接続端子を備えた端子基板（図示略）が設けられている。また、外部からの電力の供給を受けるための電源ケーブル１２３も端子基板（図示略）の上側に配設されている。また、払出制御基板ケース１１８からは接続ケーブル１２４が上方へ延出し、電源ケーブル１２５を備えたプリペイドカードユニット１３に接続されている。更に、裏機構盤１０２の略中央下端部には、下皿部用球通路部材（図示略）が設けられている。尚、本実施例では、電源ターミナル基板１２１に対して、ラムクリア信号を発生させるためのラムクリアスイッチ１２１ａを接続しているが、このラムクリアスイッチ１２１ａの接続を省略したり、ラムクリアスイッチ１２１ａの接続個所を変更してもよい。
【００９９】
次に、本実施例の遊技機１の電子制御装置１３０について、図１１を参照して説明する。この電子制御装置１３０は、主制御部１４０と、複数の副制御部とを含んで構成されている。また、副制御部としては、主制御部１４０に直に接続された第１次副制御部（払出制御部１５０、音声・ランプ制御部１７０等）と、この第１次副制御部を介して主制御部１４０に接続された第２次副制御部（発射装置制御部１９３、図柄制御部１６０等）と、を備えている。尚、主制御部１４０と第１次副制御部とは信号伝送経路５００ａによって接続され、第１次副制御部及び第２次副制御部は信号伝送経路５００ｂによって接続されている。
【０１００】
次に、各制御部間における「データ等」の伝送方式について述べる。即ち、主制御部１４０から、払出制御部１５０および音声・ランプ制御部１７０へは、一方向形式若しくは双方向形式でデータ等が伝送される。また、音声・ランプ制御部１７０から図柄制御部１６０へも一方向形式でデータが伝送されるものとして説明するが、音声・ランプ制御部１７０と図柄制御部１６０との間では双方向形式でデータを伝送することとしてもよい。尚、図１１に示した破線の矢印は、各制御部１４０ないし１８０への電源供給経路を表している。また、図示されているように、電源は先ず初めに電源受電基板４１０に供給され、電源ユニット４２０で所定電圧に変換された後、分電基板４３０から各制御部１４０ないし１８０に電力が供給される。更に、電源投入時には、後述するシステムリセット信号が全制御基板に送信される。
【０１０１】
ここで、主制御部１４０は、遊技の基本進行を司る制御部であり、当否判定の等、本遊技機１において重要な処理を実行する。また、主制御部１４０は、図１１に示すように、各種スイッチ（９ａ、９ｂ、９ｂ、１０４、１９２、１７ｓ、１９ｓ〜２２ｓ、３６ｓ、３７ｓ、３１８）等からの情報を受け取って所定の演算を行った後、払出制御部１５０や音声・ランプ制御部１７０に各種のコマンドを出力するとともに、各種の基板やソレノイド（１７ｃ、３１３、３７）などに駆動信号を出力する。
【０１０２】
尚、図示を省略するが、音声・ランプ制御部１７０は、スピーカー４００ａやランプ等の制御を主に行うための制御基板と、制御基板からの命令を受けて、ランプ等に駆動信号を出力するための駆動基板の、主に２つの基板から構成されている。また、図柄制御部１６０は、特別図柄制御基板によって主に構成されている。
【０１０３】
中継基板１９０には、入賞球検出スイッチ３１８，１９ｓ〜２２ｓ等が接続されている。また、払出用端子基板１９１には、タッチスイッチ９ａ、発射停止スイッチ９ｂ、ヴォリュームスイッチ１９２、タンク球切れ検出スイッチ１０４及び補給球切れ検出スイッチ１０８等が接続され、払出用端子基板１９１の出力端子は、払出制御部１５０の入出力回路部に接続されている。
【０１０４】
以上の電子制御装置１３０においては、遊技球が始動口１７に入球すると、その情報が始動口入賞検出スイッチ１７ｓによって検出されて、主制御部１４０に入力される。また、遊技球が普通図柄作動左ゲート３６あるいは普通図柄作動右ゲート３７を通過すると、その情報が普通図柄作動口通過検出器３６ｓ，３７ｓにより検出されて、主制御部１４０に入力される。更に、入賞球検出スイッチ１９ｓ〜２２ｓ，３１８で遊技球の入球が検出されると、その情報は、中継基板１９０を介して主制御部１４０に入力される。
【０１０５】
（２）侵入防止部材の説明
【０１０６】
侵入防止部材５００は、樹脂を用いて構成される一体成形品であると共に、所定の色（例えば、青）に着色され、全体を通じて不透明とされている。この侵入防止部材５００は、図１２〜１４に示すように、主壁体部５１０と、副壁体部５２０、５３０とを備えている。このうち、主壁体部５１０は、図４に示すように、盤前空間部Ｋのうちで不正対策部位Ｆ（ハッチング表示を参照）の下方に、不正部材の上方への侵入を防止するための防護壁体を配置するためのものである。この主壁体部５１０の左右方向に沿った幅（全幅）は、盤前空間部Ｋの左右方向に沿った幅（全幅）と略等しくされている。また、主壁体部５１０の前後方向に沿った幅（奥行き）は、主壁体部５１０の左右方向中間部において、盤前空間部Ｋの前後方向に沿った幅（奥行き）と略等しくされている。
【０１０７】
主壁体部５１０は、図１２〜１４等に示すように、後方壁体部５１１と、前方壁体部５１２と、左側の延設部５１３と、右側の延設部５１４とを備えている。このうち、後方壁体部５１１は、不正対策部位Ｆの外周部に沿った円弧状とされる湾曲壁部５１１ａと、湾曲部５１１ａの前端部から垂下する垂下壁部５１１ｂとを備えている。また、湾曲壁部５１１ａは、最下部を中央に配置し、左右両側に高くなると共に中心角を８０度とする円弧形状を備える。つまり、この湾曲壁部５１１ａの円弧長は、不正対策部位Ｆの外周部の円弧長と等しくされている。また、この湾曲壁部５１１ａの上面部は、不正対策部位Ｆの外周部に沿った円弧状の当接面部５１１ｃとされている。尚、湾曲壁部５１１ａの最下部は、凹部５１１ｄとされている。
【０１０８】
前方壁体部５１２は、左右方向に長尺な板状体を用いて構成されている。この前方壁体部５１２の左右方向幅（全幅）は、後方壁体部５１１の左右方向幅（下方に投影した幅）と等しくされている。また、前方壁体部５１２の後端部のうちで、左右方向に沿った中間部が、湾曲壁部５１１ａの前面部のうちの「左右方向に沿った中間部」に一体化されている。そして、前方壁体部５１２の前端部と、主壁体部５１０の後端部との距離は、盤前空間部Ｋの前後方向に沿った幅（奥行き）と等しくされている。但し、湾曲壁部５１１ａの凹部５１１ｄは、前方壁体部５１２の上面部よりも段差状に低くされている。
【０１０９】
左側の延設部５１３は、前方壁体部５１２の左端部から左側の突出し（前方壁体部５１２を左側方に延長し）、右側の延設部５１４は、前方壁体部５１２の右端部から右側の突出している（前方壁体部５１２を左側方に延長している）。そして、本実施例においては、前方壁体部５１２と、左右の延設部５１３、５１４とが一体となり、長尺の板状体２０Ｌを構成している。そして、この板状体２０Ｌの左右方向幅（全幅）は、盤前空間部Ｋの左右方向に沿った幅（全幅）と略等しくされている。尚、図１３中の２点鎖線Ｌ１は、前方壁体部５１２と左側の延設部５１３との境界を示し、２点鎖線Ｌ２は、前方壁体部５１２と右側の延設部５１４との境界を示している。
【０１１０】
この板状体２０Ｌの下面部からは、後方リブ５１５が垂下している。このリブ５１５は、板状体２０Ｌの左右方向に沿って長尺状に形成され、板状体２０Ｌと一体で、Ｔ字状の断面を構成している。また、前方壁体部５１２の前端部において、左右両端側に位置する部位からは、幅（左右方向に沿った幅）の狭い、前方リブ５１６、５１７が垂下している。そして、図１５（ａ）及び（ｂ）に示すように、後方リブ５１５と、前方リブ５１６、５１７とは、所定の隙間（前述の取付部５２ａの肉厚と等しいか、やや狭い隙間）が設けられている。そして、後方リブ５１５と、前方リブ５１６、５１７とは、被取付部５１８の具体例を構成する。尚、図１４（ｂ）に示すように、後方リブ５１５において、前方リブ５１６、５１７と前後に対向する部位には、貫通孔５１９ａ、５１９ｂが設けられ、被取付部５１８の弾性変形の容易化が図られている。
【０１１１】
一方の副壁体部（以下、「第１の副壁体部」という。）５２０は、後方壁体部５１１の右端部から、垂下状に延設された状態に設けられている。換言すると、後方壁体部５１１のうちで、不正対策部位Ｆの右端部の直下の位置に設けられている。つまり、第１の副壁体部５２０は、後方壁体部５１１の左端部を、あたかも、折り返し状に屈曲させたような形状を備える。
【０１１２】
この第１の副壁体部５２０は、平面形状は略矩形状の板状の壁体（延設壁体）を用いて構成され、一方の面部（面）５２１を遊技機１の左側方（左側方外部）に向け、他方の面部（面）５２２を遊技機１の右側方（右側方外部）に向けている。尚、第１の副壁体部５２０においては、何れの面部（面）５２１、５２２も、「防護壁面部」として機能し得るが、遊技機１の右側方（右側方外部）を向いた面部（面）５２２が、「防護壁面部」として、より好適に機能する。
【０１１３】
他方の副壁体部（以下、「第２の副壁体部」という。）５３０は、図１２〜１４、図１６（ａ）に示すように、後方リブ５１５の下端部のうちで、不正対策部位Ｆの左端部の直下の位置（以下、「左端位置」という。）に設けられている。この第２の副壁体部５３０は、略逆Ｌ字の縦断面を備えている。つまり、左端位置は、平面形状が略矩形状の補強リブ５３３が垂下している。この補強リブ５３３は、その前面部を後方リブ５１５の前面部と面一にしている。そして、左端位置において、補強リブ５３３の後面部（背面部）から後方に突出し、表裏面を左右に向ける垂直壁部５３１と、後方リブ５１５の後面部（背面部）から後方に突出し、表裏面を上下に向ける水平壁部５３２とを用いて、第２の副壁体部５３０を構成している。
【０１１４】
垂直壁部５３１及び水平壁部５３２は、前後幅（奥行き）が等しく、平面形状が略矩形状に板状体によって構成されると共に、垂直壁部５３１の上端部と、水平壁部５３２の左端部とが一体化されている。また、垂直壁部５３１は、図１６（ｂ）に示すように、一方の面部（面）５３１ａを遊技機１の左側方（左側方外部）に向け、他方の面部（面）５３１ｂを遊技機１の右側方（右側方外部）に向けている。尚、第２の副壁体部５３０においては、何れの面部（面）５３１ａ、５３１ｂも、「防護壁面部」として機能し得るが、遊技機１の左側方（左側方外部）を向いた面部（面）５３１ｂが、「防護壁面部」として、より好適に機能する。
【０１１５】
以上の侵入防止部材５００は、図１７及び図１８に示すように、後方壁体部５１１を後方に向け、前方壁体部５１２を前方に向けた状態で、被取付部５１８を上方から取付部５２ａに係合すると、受皿扉部材５への装着を完了する。そして、受皿扉部材５を閉じた状態とし、更に、前面枠（ガラス扉枠）４を閉じた状態とすると、侵入防止部材５００は、盤前空間部Ｋのうちで、不正対策部位Ｆの下方に、防護壁体（主壁体部５１０）と、延設壁体（副壁体部５２０、５３０）とを構成する（図４を参照）。このとき、後方壁体部５１１が、不正対策部位Ｆの外周部の下方に摺接しつつ、挿入配置される。そして、図１７及び図１８に示すように、後方壁体部５１１の後端部は、遊技盤１０の前面部１０ａに到達する。つまり、後方壁体部５１１の最下部は、「領域レール部ｒ」の最下部ｒ１（案内部）の奥側に到達し、後方壁体部５１１の他の部位は、遊技盤１０の前面部１０ａに到達する。
【０１１６】
前方壁体部５１２の前端部は、前面枠（ガラス扉枠）４の後面部（背面部）に当接する。また、図２０に示すように、第１の副壁体部５２０は、不正対策部位Ｆの左端部の下方に位置合わせされ、第２の副壁体部５３０は、不正対策部位Ｆの右端部の下方に位置合わせされる。更に、第２の副壁体部５３０は、領域レール部ｒの最下部ｒ２と、遊技球通路５Ｂの出口部５１ｂの入口部（図示を省略）とを斜め上下方向に結ぶ経路上に配置される。
【０１１７】
本実施例では、図１９に示すように、下方から大入賞装置３１に向かって、不正部材Ｊを侵入させる侵入経路の多くを、主壁体部５１０によって遮断できる。また、図２０に示すように、斜め下方や横方向から大入賞装置３１に向かって、不正部材Ｊを侵入させる侵入経路のうちの主要なものを、副壁体部５２０、５３０によって遮断できる。特に、本実施例では、遊技球通路５Ｂを利用する侵入経路を、第２の副壁体部５３０によって遮断できる点で大きな意義を有する。また、侵入防止部材５００が、長尺の板状体２０Ｌを備えるため、大入賞装置３１以外の可変入賞装置（左入賞口１９、右入賞口２０）への不正行為も的確に対処できる。
【０１１８】
（３）実施例の効果
【０１１９】
本実施例の侵入防止部材５００は、主壁体部５１０の他に副壁体部５２０、５３０を備えると共に、この副壁体部５２０、５３０が、遊技機１の側方外部を向いた防護壁面部５２１、５２２、５３１ａ、５３１ｂを備える。よって、本実施例によると、侵入防止部材５００の直下から上方に向かう侵入経路を、主壁体部５１０によって遮断する。同時に、侵入防止部材５００の斜め下方や側方から上方に向かう特定の侵入経路の経路途中に、防護壁面部が存在し、不正部材の侵入を阻止する。
【０１２０】
つまり、本実施例によると、侵入防止部材５００を、主壁体部５１０の他に副壁体部５２０、５３０を備えるものとすることで、侵入防止部材５００の直下から上方に向かう侵入経路のみならず、侵入防止部材の斜め下方等から侵入防止部材５００の上方に向かう侵入経路をも遮断する。よって、本実施例の侵入防止部材５００によると、従来の侵入防止部材に比べて、不正部材の「より多方向」からの侵入を阻止できる。従って、本実施例によると、不正行為をより確実に防止したり、不正行為の実行を的確に抑止できる侵入防止部材５００を得ることができる。
【０１２１】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。即ち、複数の実施例の特徴を兼ね備える変形例を例示することもできる。
【０１２２】
例えば、副壁体部５２０、５３０の延設位置やサイズが異なる複数の侵入防止部材５００を１セットとして、パチンコホールや島設備に配置される複数の遊技機に適用することも有効である。つまり、パチンコホールの関係者が、隣接配置される遊技機において、副壁体部５２０、５３０の延設位置やサイズが異なる侵入防止部材５００を装着することも有効である。この場合、何れの侵入防止部材５００も、壁体部５１０に「透視度低下処理（着色）」が施されているため、不正行為者は、主壁体部５１０の何れの部位に第２の副壁体部５３０が延設されているか等を判断できない。このため、個々の侵入防止部材５００が装着される遊技機は、「不正行為者が不正行為を実行することによって被るリスク（不正行為に失敗するリスク、不正行為を発見されるリスク等）」の高い遊技機となる。従って、これらの侵入防止部材５００によって、不正行為を的確に抑制することができる。
【０１２３】
また、本実施例の侵入防止部材５００では、副壁体部５２０、５３０を主壁体部５１０に対して一体的で、しかも、固定的に設けたが、副壁体部５２０、５３０を主壁体部５１０に対して着脱可能としてもよい。この場合、遊技機１の状況に応じて、使用する副壁体部５２０、５３０の数やサイズを選択したり、副壁体部５２０、５３０の装着箇所（主壁体部５１０において、副壁体部５２０、５３０を装着する箇所）を選択すること等によって、不正行為を、更により一層的確に防止することもできる。例えば、上皿部５２のサイズや遊技球通路５Ｂの位置（特に、遊技球通路５Ｂの入口部の位置）等に応じて、副壁体部５２０、５３０の使用数、使用する副壁体部５２０、５３０のサイズ、副壁体部５２０、５３０の装着箇所等を選択すること等によって、不正行為を、更により一層的確に防止できるからである。
【０１２４】
更に、侵入防止部材５００を構成する全ての副壁体部５２０、５３０、若しくは、一部の副壁体部５２０（５３０）を、主壁体部５１０に対して、スライド可能に装着してもよい。例えば、所定の副壁体部を、主壁体部５１０のスライド係合部（スライドレール、若しくは、スライド溝等）等に対して、スライド可能に係合とする。そして、当該「所定の副壁体部」を、スライド係合部に対してスライドさせ、副壁体部５２０（５３０）の延設位置（主壁体部５１０において、副壁体部５２０、５３０が延設される箇所）を変更可能としてもよい。この場合も、遊技機の状況に応じて、当該「所定の副壁体部」の延設位置を変更すること等によって、不正行為を、更により一層的確に防止できる。
【０１２５】
上記した各実施例や各変形例の形態では、図柄制御部１６０を音声・ランプ制御部１７０の制御下で用いる態様を説明した。即ち、図柄制御部１６０を、主制御部１４０の２次側（下流）にある音声・ランプ制御部１７０を介して、主制御部１４０の２次側（下流）に接続する設ける態様を例示したが、図柄制御部１６０を音声・ランプ制御部１７０よりも１次側（上流側）に配置することもできる。つまり、図２１の変形例のように、主制御部１４０の２次側（下流）に所定の伝送経路５００ａを用いて図柄制御部１６０を接続し、図柄制御部１６０の２次側に所定の伝送経路５００ｂを用いて音声・ランプ制御部１７０を接続する。そして、音声・ランプ制御部１７０の２次側（下流）に所定の伝送経路を用いて、液晶柄表示装置２７を接続してもよい。
【０１２６】
また、上記した各実施例や各変形例の形態では、液晶表示装置２７での図柄（本図柄、疑似図柄、背景図柄、キャラクタ図柄等）や保留数の表示制御、及び普通図柄表示装置３２での普通図柄の表示制御を図柄表示部１６０で行うものとしていたが、このうち、液晶表示装置２７における本図柄と保留数の表示制御と、普通図柄表示装置３２における普通図柄の表示制御とを主制御部１４０で行い、液晶表示装置２７における疑似図柄や背景図柄やキャラクタ図柄等の演出専用図柄の表示制御のみを図柄表示部１６０で行うようにしても良い。
【産業上の利用可能性】
【０１２７】
本発明は、遊技機を製造、販売等する分野において利用できる。
【図面の簡単な説明】
【０１２８】
【図１】本発明の実施例に係る遊技機を示す正面図である。
【図２】本発明の実施例に係る遊技機において、前面枠が開いた状態を示す斜視図である。
【図３】侵入防止部材の装着状態を説明するために、前面枠及び受皿扉部材等を示す説明図である。
【図４】侵入防止部材の装着状態を説明するために、中枠等の要部のみを示す正面図である。
【図５】（ａ）は上皿部材の概略的な平面図であり、（ｂ）は受皿扉部材の概略的な縦断面図｛図５（ａ）の１−１断面に相当する縦断面図｝である。
【図６】受皿扉部材の概略的な縦断面図｛図５（ａ）の２−２断面に相当する縦断面図｝である。
【図７】（ａ）は侵入防止部材の装着前の状態を説明するための概略的な平面図であり、（ｂ）は侵入防止部材の装着後の状態を説明するための概略的な平面図である。
【図８】本発明の実施例に係る遊技機において、遊技盤を示す正面図である。
【図９】本発明の実施例に係る遊技機において、不正対策部位及び領域レール部等を説明するための説明図である。
【図１０】本発明の実施例に係る遊技機を示す裏面図である。
【図１１】本発明の実施例に係る電子制御装置を示すブロック図である。
【図１２】本発明の実施例に係る侵入防止部材の斜視図である。
【図１３】本発明の実施例に係る侵入防止部材の平面図である。
【図１４】（ａ）は本発明の実施例に係る侵入防止部材の正面図であり、（ｂ）は図１３の５−５断面図ある。
【図１５】（ａ）は図１３の１０−１０断面図であり、（ｂ）は図１３の１１−１１断面図である。
【図１６】（ａ）は図１３の２１−２１断面図であり、（ｂ）は図１３の２２−２２断面図である。
【図１７】図３の３１−３１断面図である。
【図１８】図３の３２−３２断面図である。
【図１９】主壁体部の作用を説明するための説明図である。
【図２０】副壁体部の作用を説明するための説明図である。
【図２１】変形例に係る電子制御装置を示すブロック図である。
【符号の説明】
【０１２９】
１；遊技機、
４；前面枠（ガラス扉枠）、
１０；遊技盤、
１０ａ；前面部、
１１；遊技領域、
５００；侵入防止部材、
５１０；主壁体部、
５２０、５３０；副壁体部、
Ｒ；レール部材、
ｒ；領域レール部。
【図１】
0004446192.tif 000002
【図２】
0004446192.tif 000003
【図３】
0004446192.tif 000004
【図４】
0004446192.tif 000005
【図５】
0004446192.tif 000006
【図６】
0004446192.tif 000007
【図７】
0004446192.tif 000008
【図８】
0004446192.tif 000009
【図９】
0004446192.tif 000010
【図１０】
0004446192.tif 000011
【図１１】
0004446192.tif 000012
【図１２】
0004446192.tif 000013
【図１３】
0004446192.tif 000014
【図１４】
0004446192.tif 000015
【図１５】
0004446192.tif 000016
【図１６】
0004446192.tif 000017
【図１７】
0004446192.tif 000018
【図１８】
0004446192.tif 000019
【図１９】
0004446192.tif 000020
【図２０】
0004446192.tif 000021
【図２１】
0004446192.tif 000022